(57)【要約】  液冷ユニットはポンプ本体（５１）を備える。ポンプ本体（５１）には、冷媒の流出路を区画するニップル（４２ｂ）が区画される。弾性チューブ（４１ｂ）は、先端からニップル（４２ｂ）を受け入れつつニップル（４２ｂ）に結合される。ポンプ本体（５１）の前方には固定部材（５２）が配置される。固定部材（５２）には溝（５５）が区画される。溝（５５）は、ニップル（４２ｂ）の先端から所定の長さまで弾性チューブ（４１ｂ）内のニップル（４２ｂ）を支持する。同時に、溝（５５）は、ニップル（４２ｂ）の先端からニップル（４２ｂ）の前方に所定の長さまで弾性チューブ（４１ｂ）単体を受け止める。その結果、ポンプ本体（５１）で脈動が発生しても、弾性チューブ（４１ｂ）で振動の発生は回避される。ポンプ（３９）から発生する振動は最大限に抑制される。
2009034632.tif 000002
【特許請求の範囲】
【請求項１】
ポンプ本体と、ポンプ本体に区画されて、冷媒の流出路を区画するニップルと、先端からニップルを受け入れつつニップルに結合される弾性チューブと、ニップルの先端から所定の長さまで弾性チューブ内のニップルを支持すると同時に、ニップルの先端からニップルの前方に所定の長さまで弾性チューブ単体を受け止める溝を区画する固定部材とを備えることを特徴とする液冷ユニット。
【請求項２】
請求項１に記載の液冷ユニットにおいて、前記固定部材に重ね合わせられて溝を塞ぎ、溝に向かって弾性チューブを押し付ける押し付け部材をさらに備えることを特徴とする液冷ユニット。
【請求項３】
請求項１に記載の液冷ユニットにおいて、前記溝は、中心軸回りで凹角の中心角で広がる部分円筒面で区画されることを特徴とする液冷ユニット。
【請求項４】
請求項３に記載の液冷ユニットにおいて、前記弾性チューブは溝に圧入されることを特徴とする液冷ユニット。
【請求項５】
請求項１に記載の液冷ユニットにおいて、前記固定部材は制振材または防振材から構成されることを特徴とする液冷ユニット。
【請求項６】
ポンプ本体と、ポンプ本体に区画されて、冷媒の流入路を区画する流入側ニップルと、流入側ニップルに並列にポンプ本体に区画されて、冷媒の流出路を区画する流出側ニップルと、先端から流入側ニップルを受け入れつつ流入側ニップルに結合される第１弾性チューブと、先端から流出側ニップルを受け入れつつ流出側ニップルに結合される第２弾性チューブと、流入側ニップルの先端から所定の長さまで第１弾性チューブ内の流入側ニップルを支持すると同時に、流入側ニップルの先端から流入側ニップルの前方に所定の長さまで第１弾性チューブ単体を受け止める第１溝、および、流出側ニップルの先端から所定の長さまで第２弾性チューブ内の流出側ニップルを支持すると同時に、流出側ニップルの先端から流出側ニップルの前方に所定の長さまで第２弾性チューブ単体を受け止める第２溝を区画する固定部材とを備えることを特徴とする液冷ユニット。
【請求項７】
請求項６に記載の液冷ユニットにおいて、前記固定部材に重ね合わせられて第１溝および第２溝を塞ぎ、第１溝および第２溝に向かってそれぞれ第１弾性チューブおよび第２弾性チューブを押し付ける押し付け部材をさらに備えることを特徴とする液冷ユニット。
【請求項８】
請求項６に記載の液冷ユニットにおいて、前記第１溝および第２溝は、それぞれ、中心軸回りで凹角の中心角で広がる部分円筒面で区画されることを特徴とする液冷ユニット。
【請求項９】
請求項８に記載の液冷ユニットにおいて、前記第１弾性チューブおよび第２弾性チューブはそれぞれ第１溝および第２溝に圧入されることを特徴とする液冷ユニット。
【請求項１０】
請求項６に記載の液冷ユニットにおいて、前記固定部材は制振材または防振材から構成されることを特徴とする液冷ユニット。
【請求項１１】
請求項６に記載の液冷ユニットにおいて、前記流入側ニップルの軸心および前記流出側ニップルの軸心を含む仮想平面に沿って前記流入側ニップルおよび前記流出側ニップルとの間に前記ポンプ本体を挟む支持片をさらに備えることを特徴とする液冷ユニット。
【請求項１２】
請求項１１に記載の液冷ユニットにおいて、前記支持片は弾性体から構成されることを特徴とする液冷ユニット。
【請求項１３】
請求項６に記載の液冷ユニットにおいて、前記流入側ニップルの軸心および前記流出側ニップルの軸心を含む仮想平面に沿って前記流入側ニップルおよび前記流出側ニップルとの間に前記ポンプ本体を挟む取り付け片と、当該仮想平面に沿って前記流入側ニップルおよび前記流出側ニップルとの間に前記ポンプ本体および取り付け片を挟み込む第１支持片と、当該仮想平面に沿って取り付け片の移動を許容しつつ当該仮想平面に直交する方向から取り付け片を支持する第２支持片とをさらに備えることを特徴とする液冷ユニット。
【請求項１４】
請求項１３に記載の液冷ユニットにおいて、前記第１支持片は弾性体から構成されることを特徴とする液冷ユニット。
【請求項１５】
請求項６に記載の液冷ユニットにおいて、前記固定部材には、前記ポンプ本体の底面に向き合わせられる底板と、底板の表面から立ち上がり、前記ポンプ本体の周囲を途切れなく囲み底板と協働で器を構成する周壁とが区画されることを特徴とする液冷ユニット。
【請求項１６】
筐体と、筐体内に収容される電子部品と、筐体内で電子部品に関連づけられる液冷ユニットとを備え、液冷ユニットは、ポンプ本体と、ポンプ本体に区画されて、冷媒の流出路を区画するニップルと、先端からニップルを受け入れつつニップルに結合される弾性チューブと、ニップルの先端から所定の長さまで弾性チューブ内のニップルを支持すると同時に、ニップルの先端からニップルの前方に所定の長さまで弾性チューブ単体を受け止める溝を区画する固定部材とを備えることを特徴とする電子機器。
【請求項１７】
請求項１６に記載の電子機器において、前記固定部材に重ね合わせられて溝を塞ぎ、溝に向かって弾性チューブを押し付ける押し付け部材をさらに備えることを特徴とする電子機器。
【請求項１８】
請求項１６に記載の電子機器において、前記溝は、中心軸回りで凹角の中心角で広がる部分円筒面で区画されることを特徴とする電子機器。
【請求項１９】
請求項１８に記載の電子機器において、前記弾性チューブは溝に圧入されることを特徴とする電子機器。
【請求項２０】
請求項１６に記載の電子機器において、前記固定部材は制振材または防振材から構成されることを特徴とする電子機器。
【請求項２１】
筐体と、筐体内に収容される電子部品と、筐体内で電子部品に関連づけられる液冷ユニットとを備え、液冷ユニットは、ポンプ本体と、ポンプ本体に区画されて、冷媒の流入路を区画する流入側ニップルと、流入側ニップルに並列にポンプ本体に区画されて、冷媒の流出路を区画する流出側ニップルと、先端から流入側ニップルを受け入れつつ流入側ニップルに結合される第１弾性チューブと、先端から流出側ニップルを受け入れつつ流出側ニップルに結合される第２弾性チューブと、流入側ニップルの先端から所定の長さまで第１弾性チューブ内の流入側ニップルを支持すると同時に、流入側ニップルの先端から流入側ニップルの前方に所定の長さまで第１弾性チューブ単体を受け止める第１溝、および、流出側ニップルの先端から所定の長さまで第２弾性チューブ内の流出側ニップルを支持すると同時に、流出側ニップルの先端から流出側ニップルの前方に所定の長さまで第２弾性チューブ単体を受け止める第２溝を区画する固定部材とを備えることを特徴とする電子機器。
【請求項２２】
請求項２１に記載の電子機器において、前記固定部材に重ね合わせられて第１溝および第２溝を塞ぎ、第１溝および第２溝に向かってそれぞれ第１弾性チューブおよび第２弾性チューブを押し付ける押し付け部材をさらに備えることを特徴とする電子機器。
【請求項２３】
請求項２１に記載の電子機器において、前記第１溝および第２溝は、それぞれ、中心軸回りで凹角の中心角で広がる部分円筒面で区画されることを特徴とする電子機器。
【請求項２４】
請求項２３に記載の電子機器において、前記第１弾性チューブおよび第２弾性チューブはそれぞれ第１溝および第２溝に圧入されることを特徴とする電子機器。
【請求項２５】
請求項２１に記載の電子機器において、前記固定部材は制振材または防振材から構成されることを特徴とする電子機器。
【請求項２６】
請求項２１に記載の電子機器において、前記流入側ニップルの軸心および前記流出側ニップルの軸心を含む仮想平面に沿って前記流入側ニップルおよび前記流出側ニップルとの間に前記ポンプ本体を挟む支持片をさらに備えることを特徴とする電子機器。
【請求項２７】
請求項２６に記載の電子機器において、前記支持片は弾性体から構成されることを特徴とする電子機器。
【請求項２８】
請求項２１に記載の電子機器において、前記流入側ニップルの軸心および前記流出側ニップルの軸心を含む仮想平面に沿って前記流入側ニップルおよび前記流出側ニップルとの間に前記ポンプ本体を挟む取り付け片と、当該仮想平面に沿って前記流入側ニップルおよび前記流出側ニップルとの間に前記ポンプ本体および取り付け片を挟み込む第１支持片と、当該仮想平面に沿って取り付け片の移動を許容しつつ当該仮想平面に直交する方向から取り付け片を支持する第２支持片とをさらに備えることを特徴とする電子機器。
【請求項２９】
請求項２８に記載の電子機器において、前記第１支持片は弾性体から構成されることを特徴とする電子機器。
【請求項３０】
請求項２１に記載の電子機器において、前記固定部材には、前記ポンプ本体の底面に向き合わせられる底板と、底板の表面から立ち上がり、前記ポンプ本体の周囲を途切れなく囲み底板と協働で器を構成する周壁とが区画されることを特徴とする電子機器。
【発明の詳細な説明】
【技術分野】
【０００１】
本発明は、例えばノートブックパーソナルコンピュータといった電子機器に組み込まれる液冷ユニットに関する。
【背景技術】
【０００２】
例えば特許文献２に記載されるように、液冷ユニットは広く知られる。こういった液冷ユニットでは遠心式や渦流れ式といった回転体の作用に基づくポンプが広く利用される。
【特許文献１】日本国特開平５−３４０３７５号公報
【特許文献２】日本国特開２００４−１３９１８７号公報
【発明の開示】
【０００３】
ピストンや圧電素子を利用したピストン式や圧電式のポンプは広く知られる。こういったピストン式や圧電式のポンプは遠心式や渦流れ式といったポンプに比べて効率的に冷媒を循環させることができる。その一方で、ピストン式や圧電式のポンプでは脈動が大きい。こういったポンプに例えばゴムチューブといった弾性の配管が接続されると、脈動は配管の振動を生み出す。例えばノートブックパーソナルコンピュータでは、こういった振動はパームレストから使用者の手に伝達してしまう。使用者の使用感は悪化してしまう。脈動に基づく振動の回避にあたってリジッドな配管の採用が考えられる。しかしながら、リジッドな配管では液冷ユニットの構成要素の配置に高い位置精度が要求されてしまう。組立作業の煩雑化や製造コストの上昇を招く。
【０００４】
本発明は、上記実状に鑑みてなされたもので、ポンプから発生する振動を最大限に抑制することができる液冷ユニットを提供することを目的とする。本発明は、そういった液冷ユニットを備える電子機器を提供することを目的とする。
【０００５】
上記目的を達成するために、第１発明によれば、ポンプ本体と、ポンプ本体に区画されて、冷媒の流出路を区画するニップルと、先端からニップルを受け入れつつニップルに結合される弾性チューブと、ニップルの先端から所定の長さまで弾性チューブ内のニップルを支持すると同時に、ニップルの先端からニップルの前方に所定の長さまで弾性チューブ単体を受け止める溝を区画する固定部材とを備えることを特徴とする液冷ユニットが提供される。
【０００６】
こうした液冷ユニットでは、ポンプ本体はニップルで弾性チューブに結合される。弾性チューブは、固定部材に区画される溝に受け入れられる。溝は、ニップルの先端からニップルの前方に所定の長さまで弾性チューブ単体を受け止める。その結果、ポンプ本体で脈動が発生しても、弾性チューブで振動の発生は回避される。ポンプから発生する振動は最大限に抑制される。
【０００７】
液冷ユニットは、固定部材に重ね合わせられて溝を塞ぎ、溝に向かって弾性チューブを押し付ける押し付け部材をさらに備えてもよい。こうした押し付け部材の働きで弾性チューブは溝に向かって押し付けられる。その結果、弾性チューブは一層大きな力で溝内に保持される。ポンプから発生する振動は最大限に抑制される。溝は、中心軸回りで凹角の中心角で広がる部分円筒面で区画されればよい。このとき、弾性チューブは溝に圧入されればよい。固定部材は制振材または防振材から構成されればよい。
【０００８】
以上のような液冷ユニットは電子機器に組み込まれる。電子機器は、筐体と、筐体内に収容される電子部品と、筐体内で電子部品に関連づけられる液冷ユニットとを備え、液冷ユニットは、ポンプ本体と、ポンプ本体に区画されて、冷媒の流出路を区画するニップルと、先端からニップルを受け入れつつニップルに結合される弾性チューブと、ニップルの先端から所定の長さまで弾性チューブ内のニップルを支持すると同時に、ニップルの先端からニップルの前方に所定の長さまで弾性チューブ単体を受け止める溝を区画する固定部材とを備える。
【０００９】
こうした電子機器は、固定部材に重ね合わせられて溝を塞ぎ、溝に向かって弾性チューブを押し付ける押し付け部材をさらに備えてもよい。前述と同様に、溝は、中心軸回りで凹角の中心角で広がる部分円筒面で区画されればよい。このとき、弾性チューブは溝に圧入されればよい。固定部材は制振材または防振材から構成されればよい。
【００１０】
第２発明によれば、ポンプ本体と、ポンプ本体に区画されて、冷媒の流入路を区画する流入側ニップルと、流入側ニップルに並列にポンプ本体に区画されて、冷媒の流出路を区画する流出側ニップルと、先端から流入側ニップルを受け入れつつ流入側ニップルに結合される第１弾性チューブと、先端から流出側ニップルを受け入れつつ流出側ニップルに結合される第２弾性チューブと、流入側ニップルの先端から所定の長さまで第１弾性チューブ内の流入側ニップルを支持すると同時に、流入側ニップルの先端から流入側ニップルの前方に所定の長さまで第１弾性チューブ単体を受け止める第１溝、および、流出側ニップルの先端から所定の長さまで第２弾性チューブ内の流出側ニップルを支持すると同時に、流出側ニップルの先端から流出側ニップルの前方に所定の長さまで第２弾性チューブ単体を受け止める第２溝を区画する固定部材とを備えることを特徴とする液冷ユニットが提供される。
【００１１】
こうした液冷ユニットでは、ポンプ本体は流入側ニップルで第１弾性チューブに結合される。同様に、ポンプ本体は流出側ニップルで第２弾性チューブに結合される。第１弾性チューブは、固定部材に区画される第１溝に受け入れられる。第１弾性チューブは、固定部材に区画される第２溝に受け入れられる。第１溝は、流入側ニップルの先端から流入側ニップルの前方に所定の長さまで第１弾性チューブ単体を受け止める。同様に、第２溝は、流出側ニップルの先端から流出側ニップルの前方に所定の長さまで第２弾性チューブ単体を受け止める。その結果、ポンプ本体で脈動が発生しても、第１弾性チューブおよび第２弾性チューブで振動の発生は回避される。ポンプから発生する振動は最大限に抑制される。
【００１２】
こうした液冷ユニットは、固定部材に重ね合わせられて第１溝および第２溝を塞ぎ、第１溝および第２溝に向かってそれぞれ第１弾性チューブおよび第２弾性チューブを押し付ける押し付け部材をさらに備えてもよい。前述と同様に、第１溝および第２溝は、それぞれ、中心軸回りで凹角の中心角で広がる部分円筒面で区画されればよい。このとき、第１弾性チューブおよび第２弾性チューブはそれぞれ第１溝および第２溝に圧入されればよい。固定部材は制振材または防振材から構成されればよい。
【００１３】
液冷ユニットは、流入側ニップルの軸心および流出側ニップルの軸心を含む仮想平面に沿って流入側ニップルおよび流出側ニップルとの間にポンプ本体を挟む支持片をさらに備えてもよい。こうした支持片は、脈動に基づくポンプ本体の振動を受け止めることができる。ポンプから発生する振動は最大限に抑制される。このとき、支持片は弾性体から構成されればよい。
【００１４】
液冷ユニットは、流入側ニップルの軸心および流出側ニップルの軸心を含む仮想平面に沿って流入側ニップルおよび流出側ニップルとの間にポンプ本体を挟む取り付け片と、当該仮想平面に沿って流入側ニップルおよび流出側ニップルとの間にポンプ本体および取り付け片を挟み込む第１支持片と、当該仮想平面に沿って取り付け片の移動を許容しつつ当該仮想平面に直交する方向から取り付け片を支持する第２支持片とをさらに備えてもよい。
【００１５】
こうした液冷ユニットでは、第１支持片は取り付け片を受け止める。その結果、第１支持片は、脈動に基づくポンプ本体の振動を受け止めることができる。取り付け片は、流入側ニップルの軸心および流出側ニップルの軸心を含む仮想平面に沿って移動自在に第２支持片に支持される。したがって、脈動に基づくポンプ本体の振動は第１支持片で確実に受け止められることができる。ポンプから発生する振動は最大限に抑制される。なお、第１支持片は弾性体から構成されればよい。
【００１６】
固定部材には、ポンプ本体の底面に向き合わせられる底板と、底板の表面から立ち上がり、ポンプ本体の周囲を途切れなく囲み底板と協働で器を構成する周壁とが区画されればよい。
【００１７】
こうした固定部材によれば、たとえ流入側ニップルおよび第１弾性チューブの間や、流出側ニップルおよび第２弾性チューブの間から冷媒といった液体が漏れ出たとしても、漏れ出た液体は固定部材の底板に受け止められる。周壁の働きで液体は固定部材内に堰き止められる。固定部材から外側に液体の漏れ出しは回避される。例えば固定部材の外側に配置される電子部品の損傷は回避される。
【００１８】
以上のような液冷ユニットは電子機器に組み込まれる。電子機器は、筐体と、筐体内に収容される電子部品と、筐体内で電子部品に関連づけられる液冷ユニットとを備え、液冷ユニットは、ポンプ本体と、ポンプ本体に区画されて、冷媒の流入路を区画する流入側ニップルと、流入側ニップルに並列にポンプ本体に区画されて、冷媒の流出路を区画する流出側ニップルと、先端から流入側ニップルを受け入れつつ流入側ニップルに結合される第１弾性チューブと、先端から流出側ニップルを受け入れつつ流出側ニップルに結合される第２弾性チューブと、流入側ニップルの先端から所定の長さまで第１弾性チューブ内の流入側ニップルを支持すると同時に、流入側ニップルの先端から流入側ニップルの前方に所定の長さまで第１弾性チューブ単体を受け止める第１溝、および、流出側ニップルの先端から所定の長さまで第２弾性チューブ内の流出側ニップルを支持すると同時に、流出側ニップルの先端から流出側ニップルの前方に所定の長さまで第２弾性チューブ単体を受け止める第２溝を区画する固定部材とを備える。
【００１９】
電子機器は、固定部材に重ね合わせられて第１溝および第２溝を塞ぎ、第１溝および第２溝に向かってそれぞれ第１弾性チューブおよび第２弾性チューブを押し付ける押し付け部材をさらに備えてもよい。第１溝および第２溝は、それぞれ、中心軸回りで凹角の中心角で広がる部分円筒面で区画されればよい。このとき、第１弾性チューブおよび第２弾性チューブはそれぞれ第１溝および第２溝に圧入されればよい。固定部材は制振材または防振材から構成されればよい。
【００２０】
電子機器は、流入側ニップルの軸心および流出側ニップルの軸心を含む仮想平面に沿って流入側ニップルおよび流出側ニップルとの間にポンプ本体を挟む支持片をさらに備えてもよい。このとき、支持片は弾性体から構成されればよい。
【００２１】
電子機器は、流入側ニップルの軸心および流出側ニップルの軸心を含む仮想平面に沿って流入側ニップルおよび流出側ニップルとの間にポンプ本体を挟む取り付け片と、当該仮想平面に沿って流入側ニップルおよび流出側ニップルとの間にポンプ本体および取り付け片を挟み込む第１支持片と、当該仮想平面に沿って取り付け片の移動を許容しつつ当該仮想平面に直交する方向から取り付け片を支持する第２支持片とをさらに備えてもよい。第１支持片は弾性体から構成されればよい。
【００２２】
固定部材には、ポンプ本体の底面に向き合わせられる底板と、底板の表面から立ち上がり、ポンプ本体の周囲を途切れなく囲み底板と協働で器を構成する周壁とが区画されればよい。
【図面の簡単な説明】
【００２３】
【図１】本発明の一実施形態に係る電子機器の一具体例すなわちノートブックパーソナルコンピュータの外観を概略的に示す。
【図２】ノートパソコンの内部構造を概略的に示す斜視図である。
【図３】液冷ユニットの構造を概略的に示す平面図である。
【図４】第１具体例に係る液冷ユニットの構造を概略的に示す部分拡大斜視図である。
【図５】液冷ユニットの構造を概略的に示す部分拡大垂直断面図である。
【図６】図５の６−６線に沿った断面図である。
【図７】ポンプの内部構造を概略的に示す断面図である。
【図８】ポンプの内部構造を概略的に示す断面図である。
【図９】図５の９−９線に沿った断面図である。
【図１０】第２具体例に係る液冷ユニットの構造を概略的に示す部分拡大斜視図である。
【図１１】第３具体例に係る液冷ユニットの構造を概略的に示す部分拡大斜視図である。
【図１２】第３具体例に係る液冷ユニットの構造を概略的に示す部分垂直断面図である。
【図１３】第４具体例に係る液冷ユニットの構造を概略的に示す部分拡大斜視図である。
【図１４】第４具体例に係る液冷ユニットの構造を概略的に示す部分拡大垂直断面図である。
【発明を実施するための最良の形態】
【００２４】
以下、添付図面を参照しつつ本発明の実施形態を説明する。【００２５】
図１は本発明の一実施形態に係る電子機器の一具体例すなわちノートブックパーソナルコンピュータ（ノートパソコン）１１の外観を概略的に示す。このノートパソコン１１は薄型の第１筐体すなわち本体筐体１２を備える。この本体筐体１２には揺動自在に第２筐体すなわちディスプレイ用筐体１３が連結される。本体筐体１２はベース１２ａを備える。ベース１２ａには着脱自在にカバー１２ｂが結合される。ディスプレイ用筐体１３は、本体筐体１２に対する揺動を通じて本体筐体１２に重ね合わせられる。本体筐体１２やディスプレイ用筐体１３は例えば強化樹脂材料から構成される。【００２６】
本体筐体１２の表面にはキーボードやポインティングデバイスといった入力装置１４が組み込まれる。利用者はこういった入力装置１４から指示やデータを入力することができる。ディスプレイ用筐体１３には例えばＬＣＤ（液晶ディスプレイ）パネルモジュール１６が組み込まれる。ＬＣＤパネルモジュール１６の画面は、ディスプレイ用筐体１３に区画される窓孔１７に臨む。画面にはテキストやグラフィックスが表示される。利用者はそういったテキストやグラフィックスに基づきノートパソコン１１の動作を確認することができる。【００２７】
図２に示されるように、本体筐体１２の収容空間にはプリント基板ユニット１８が収容される。プリント基板ユニット１８は、プリント基板１９と、プリント基板１９の表面に実装される電子部品すなわち第１および第２ＬＳＩ（大規模集積回路）パッケージ２１、２２とを備える。第１ＬＳＩパッケージ２１では、小型のプリント基板上に例えばＣＰＵ（中央演算処理装置）チップ（図示されず）が実装される。第２ＬＳＩパッケージ２２では、小型のプリント基板上に例えばビデオチップや、ＣＰＵ周辺回路を搭載したチップセット（図示されず）が実装される。ＣＰＵチップは例えばＯＳ（オペレーティングシステム）やアプリケーションソフトウェアに基づき演算処理を実行する。ビデオチップは例えばＣＰＵチップの演算処理に基づき画像処理を実行する。【００２８】
プリント基板１９の外側には、本体筐体１２の収容空間にＤＶＤ駆動装置２３やハードディスク駆動装置（ＨＤＤ）２４といった記録媒体駆動装置が収容される。前述のＯＳやアプリケーションソフトウェアは例えばＨＤＤ２４に格納されればよい。本体筐体１２の収容空間にはカードユニット２５が収容される。カードユニット２５には、カードスロットからメモリカードやＳＣＳＩカード、ＬＡＮカードといったＰＣカードが差し込まれる。カードユニット２５は例えばプリント基板１９に実装されればよい。【００２９】
本体筐体１２の収容空間にはプリント基板１９上に液冷ユニット２７が配置される。液冷ユニット２７は、第１ＬＳＩパッケージ２１に受け止められる例えば箱形の第１受熱器２８を備える。第１受熱器２８は例えばプリント基板１９にねじ留めされればよい。第１受熱器２８は例えばアルミニウムといった熱伝導性の金属材料から構成される。ＣＰＵチップの熱は第１受熱器２８に伝達される。その結果、第１受熱器２８はＣＰＵチップの熱を奪う。第１受熱器２８の内部空間には冷媒の流通路が確立される。液冷ユニット２７では、第１受熱器２８から一巡する冷媒の循環経路が確立される。冷媒には例えばプロピレングリコール系の不凍液が用いられればよい。【００３０】
循環経路には第２ＬＳＩパッケージ２２に受け止められる第２受熱器２９が組み入れられる。第２受熱器２９は第１受熱器２８の下流で第１受熱器２８に接続される。第２受熱器２９は、ビデオチップに受け止められる伝熱板を備える。伝熱板は後述の金属管に取り付けられる。金属管内では冷媒が流通する。伝熱板は例えばプリント基板１９にねじ留めされればよい。伝熱板は例えばアルミニウムといった熱伝導性の金属材料から形成されればよい。ビデオチップの熱は伝熱板に伝達される。その結果、第２受熱器２９はビデオチップの熱を奪う。【００３１】
循環経路には冷媒から熱を奪う熱交換器３１が組み入れられる。熱交換器３１は第２受熱器２９の下流で第２受熱器２９に接続される。熱交換器３１にはファンユニット３２の送風口が向き合わせられる。熱交換器３１やファンユニット３２は例えばプリント基板１９にねじ留めされればよい。熱交換器３１は、ファンユニット３２と本体筐体１２の排気口３３との間に配置される。【００３２】
ファンユニット３２はファンハウジング３４を備える。ファンハウジング３４は所定の収容空間を区画する。ファンハウジング３４の底板および天板には吸気用開口３５が形成される。吸気用開口３５はファンハウジング３４の内側の収容空間とファンハウジング３４の外側の空間とを相互に接続する。ファンハウジング３４の収容空間にはファン３６が収容される。ファン３６はいわゆる遠心ファンを構成する。ファン３６が回転すると、ファンハウジング３４の底板の吸気用開口３５や天板の吸気用開口３５から空気が導入される。ファン３６の回転で遠心方向に気流は生成される。【００３３】
ファンハウジング３４には、ファン３６の遠心方向外側に配置される送風口３７が区画される。送風口３７および排気口３３の間に熱交換器３１が配置される。遠心方向の気流はファンハウジング３４の内面に沿って送風口３７から吐き出される。気流は熱交換器３１を通過して排気口３３に至る。熱交換器３１は、気流の流通方向に直交する方向に並列に配置される複数の放熱フィン（図示されず）を備える。放熱フィン同士の間には気流の流通路が確立される。放熱フィンは、冷媒の流通路を確立する金属管の外面から立ち上がる。こうして冷媒の熱は放熱フィンに伝達される。放熱フィンは例えばアルミニウムといった熱伝導性の金属材料から構成される。【００３４】
循環経路にはタンク３８が組み入れられる。タンク３８は熱交換器３１の下流で熱交換器３１に接続される。タンク３８は例えばアルミニウムといった熱伝導性の金属材料から構成される。タンク３８は例えばプリント基板１９にねじ留めされればよい。タンク３８は循環経路内で冷媒や空気を貯蔵する。冷媒や空気はタンク３８の貯蔵空間に貯蔵される。貯蔵空間には冷媒の流出口が区画される。冷媒の流出口は貯蔵空間の底面に近接して区画される。例えば蒸発に基づき冷媒が減少しても、重力の働きで冷媒は貯蔵空間の底面に溜まる。したがって、流出口に空気の進入は回避される。流出口には冷媒のみが流入する。【００３５】
循環経路にはポンプ３９が組み入れられる。ポンプ３９はタンク３８の下流でタンク３８に接続される。ポンプ３９の下流には第１受熱器２８が接続される。ポンプ３９には例えば圧電式のポンプが用いられる。ポンプ３９には圧電素子が組み込まれる。後述のように、圧電素子に電界が印加されると、圧電素子の振幅運動でタンク３８からポンプ３９に冷媒が供給される。同様に、圧電素子の振幅運動でポンプ３９から第１受熱器２８に向かって冷媒が吐き出される。こうしてポンプ３９は循環経路で冷媒を循環させる。ポンプ３９の詳細は後述される。【００３６】
図３に示されるように、第１受熱器２８および第２受熱器２９の間、第２受熱器２９および熱交換器３１の間、熱交換器３１およびタンク３８の間、タンク３８およびポンプ３９の間、ポンプ３９および第１受熱器２８の間はそれぞれ１本の弾性チューブ４１で接続される。弾性チューブ４１の両端は先端から、第１受熱器２８や第２受熱器２９、熱交換器３１、タンク３８、ポンプ３９の金属管すなわちニップル４２を受け入れる。こうして弾性チューブ４１はニップル４２に結合される。弾性チューブ４１やニップル４２は例えば円筒形に形成される。【００３７】
弾性チューブ４１は例えばゴムといった可撓性の弾性樹脂材料から構成されればよい。ニップル４２は例えばアルミニウムといった熱伝導性の金属材料から形成されればよい。弾性チューブ４１の弾性に基づき第１受熱器２８や第２受熱器２９、熱交換器３１、タンク３８、ポンプ３９の相対的な位置ずれは許容される。弾性チューブ４１の長さは、位置ずれを許容する最小値に設定されればよい。弾性チューブ４１がニップル４２から取り外されると、第１受熱器２８や第２受熱器２９、熱交換器３１、タンク３８、ポンプ３９はそれぞれ個別に簡単に交換される。【００３８】
図４に示されるように、ポンプ３９は例えば箱形のポンプ本体５１を備える。ポンプ本体５１は、例えばポリフェニレンサルファイド（ＰＰＳ）樹脂といった樹脂材料から構成される。ＰＰＳ樹脂の水分透過性は比較的に低い。ポンプ本体５１の前端には相互に平行に突き出る流入側ニップル４２ａおよび流出側ニップル４２ｂが区画される。流入側ニップル４２ａは冷媒の流入路を区画する。流出側ニップル４２ｂは冷媒の流出路を区画する。第１弾性チューブ４１ａは流入側ニップル４２ａに結合される。流入側ニップル４２ａの先端は第１弾性チューブ４１ａに受け入れられる。第２弾性チューブ４１ｂは流出側ニップル４２ｂに結合される。流出側ニップル４２ｂの先端は第２弾性チューブ４１ｂに受け入れられる。【００３９】
ポンプ本体５１の前方には例えば直方体の固定部材５２が配置される。固定部材５２は例えばねじ５３でプリント基板１９の表面に固定される。固定部材５２は例えばゴム系や樹脂系、アスファルト系の制振材または防振材から構成される。ここでは、固定部材５２には例えば内外ゴム社のハネナイト（登録商標）といった防振ゴムやロジャースイノアック社のＰＯＲＯＮといったウレタンフォームが用いられればよい。その他、固定部材５２にはマグネシウム合金といった優れた減衰性を有する金属材料が用いられてもよい。固定部材５２の表面には相互に平行に延びる第１溝５４および第２溝５５が区画される。第１溝５４には第１弾性チューブ４１ａが受け入れられる。第２溝５５には第２弾性チューブ４１ｂが受け入れられる。【００４０】
ポンプ本体５１の後端には板状の取り付け片５６が区画される。取り付け片５６は、流入側ニップル４２ａおよび流出側ニップル４２ｂとの間にポンプ本体５１を挟み込む。図５を併せて参照し、取り付け片５６は、流入側ニップル４２ａの軸心および流出側ニップル４２ｂの軸心を含む仮想平面Ｐに沿って広がる。取り付け片５６の先端は第１支持片５７に受け止められる。こうして第１支持片５７は、仮想平面Ｐに沿って流入側ニップル４２ａおよび流出側ニップル４２ｂとの間にポンプ本体５１および取り付け片５６を挟み込む。第１支持片５７はベース１２ａの内壁面に取り付けられる。第１支持片５７は例えば弾性体から構成される。【００４１】
取り付け片５６は、プリント基板１９の表面から立ち上がる例えば円柱状の第２支持片５８に受け止められる。第２支持片５８は、仮想平面Ｐに直交する方向から取り付け片５６を支持する。第２支持片５８はプリント基板１９の表面に固定される。取り付け片５６は、例えばねじ５９で取り付け片５６に取り付けられる。ねじ５９は、取り付け片５６に形成される貫通孔を通って第２支持片５８にねじ込まれる。ねじ５９のねじ軸と取り付け片５６の貫通孔の縁との間には所定の隙間が確保される。その結果、第２支持片５８は仮想平面Ｐに沿って取り付け片５６の移動を許容する。第２支持片５８は例えば弾性体から構成される。【００４２】
図５から明らかなように、ポンプ本体５１は流入側ニップル４２ａおよび流出側ニップル４２ｂで固定部材５２に支持される。同様に、ポンプ本体５１は取り付け片５６で第２支持片５８に支持される。その結果、ポンプ本体５１の底面はプリント基板１９の表面から所定の高さに配置される。こうしてポンプ本体５１の底面はプリント基板１９の表面に所定の間隔で向き合わせられる。その結果、ポンプ本体５１およびプリント基板１９の間で接触は回避される。【００４３】
図６に示されるように、第１溝５４は、流入側ニップル４２ａの先端から流入側ニップル４２ａの前方に所定の長さまで第１弾性チューブ４１ａ単体を受け止める。第１溝５４は、流入側ニップル４２ａの先端から所定の長さまで第１弾性チューブ４１ａ内の流入側ニップル４２ａを支持する。第１弾性チューブ４１ａは第１溝５４から流入側ニップル４２ａの基端に向かって所定の長さで突き出る。同様に、第２溝５５は、流出側ニップル４２ｂの先端から流出側ニップル４２ｂの前方に所定の長さまで第２弾性チューブ４１ｂ単体を受け止める。第２溝５５は、流出側ニップル４２ｂの先端から所定の長さまで第２弾性チューブ４１ｂ内の流出側ニップル４２ｂを支持する。第２弾性チューブ４１ｂは第２溝５５から流出側ニップル４２ｂの基端に向かって所定の長さで突き出る。【００４４】
図７に示されるように、ポンプ３９では、ポンプ本体５１内に流入路６１および流出路６２が区画される。流入路６１には流入側ニップル４２ａが接続される。流出路６２には流出側ニップル４２ｂが接続される。流入路６１および流出路６２にはポンプ室６３が接続される。ポンプ室６３には圧電素子６４が配置される。流入路６１およびポンプ室６３の間には逆止弁６５が配置される。逆止弁６５は、流入路６１からポンプ室６３に向かってのみ冷媒の流入を許容する。同様に、ポンプ室６３および流出路６２の間には逆止弁６６が配置される。逆止弁６６は、ポンプ室６３から流出路６２に向かってのみ冷媒の流入を許容する。【００４５】
圧電素子６４に電界が印加されると、圧電素子６４は周期的に振動する。振動に基づき圧電素子６４は湾曲する。例えば図７に示されるように、圧電素子６４がポンプ本体５１の天板に向かって湾曲すると、ポンプ室６３に負圧が発生する。その結果、流入路６１からポンプ室６３に冷媒が流入する。逆止弁６６は、ポンプ室６３から流出路６２に向かってのみ冷媒の流入を許容することから、流出路６２からポンプ室６３に冷媒の逆流は規制される。こうしてタンク３８からポンプ３９に冷媒が引き込まれる。【００４６】
その一方で、例えば図８に示されるように、圧電素子６４がポンプ本体５１の底板に向かって湾曲すると、ポンプ室６３に正圧が発生する。その結果、ポンプ室６３から流出路６２に冷媒が流出する。逆止弁６５は、流入路６１からポンプ室６３に向かってのみ冷媒の流入を許容することから、ポンプ室６３から流入路６１に冷媒の逆流は規制される。こうしてポンプ３９から第１受熱器２８に向かって冷媒が吐き出される。【００４７】
図９に示されるように、第１溝５４および第２溝５５は、それぞれ、中心軸ＣＬ回りで凹角の中心角αで広がる部分円筒面７１、７２で区画される。第１弾性チューブ４１ａは第１溝５４に圧入される。同様に、第２弾性チューブ４１ｂは第２溝５５に圧入される。その結果、部分円筒面７１から第１弾性チューブ４１ａの外周面に押し付け力が作用する。同様に、部分円筒面７２から第２弾性チューブ４１ｂの外周面に押し付け力が作用する。こうして第１溝５４および第２溝５５は、それぞれ、第１弾性チューブ４１ａおよび第２弾性チューブ４１ｂを固く保持することができる。【００４８】
いま、冷媒が循環経路を循環する場面を想定する。ノートパソコン１１の電源が入れられると、ＣＰＵチップはファンユニット３２を稼働させる。ファン３６は回転する。本体筐体１２に形成される吸気口（図示されず）から外気が導入される。吸気用開口３５からファン３６の回転中心軸に沿って空気は導入される。こうしてプリント基板１９の表裏面に沿って気流は流通する。同時に、ＣＰＵチップはポンプ３９を稼働させる。圧電素子６４の働きでポンプ３９は流出側ニップル４２ｂから冷媒を吐き出す。こうして循環経路内で冷媒の流れは作り出される。【００４９】
ＣＰＵチップの処理動作中、ＣＰＵチップは発熱する。ＣＰＵチップの熱は第１受熱器２８に受け渡される。第１受熱器２８の熱は流通路内の冷媒に受け渡される。こうしてＣＰＵチップは冷却される。冷媒は第１受熱器２８から第２受熱器２９に流れる。ビデオチップの処理動作中、ビデオチップは発熱する。ビデオチップの熱は第２受熱器２９の伝熱板に受け渡される。熱は伝熱板からニップル４２内の冷媒に受け渡される。こうしてビデオチップは冷却される。冷媒は第２受熱器２９から熱交換器３１に流れる。【００５０】
冷媒は熱交換器３１に流入する。冷媒の熱は放熱フィンに受け渡される。ファンユニット３２の働きで送風口３７から排気口３３に向かって気流は生み出される。冷媒の熱は放熱フィンの表面から大気中に放出される。冷媒は冷却される。気流は排気口３３から本体筐体１２の外側に吐き出される。冷媒はタンク３８に流れる。その後、冷媒はタンク３８からポンプ３９に流れる。ポンプ３９では、圧電素子６４の働きで流出側ニップル４２ｂから冷媒が吐き出される。こうして冷媒の循環が繰り返される。【００５１】
以上のようなノートパソコン１１では、圧電素子６４の働きでポンプ３９は流出側ニップル４２ｂから冷媒を吐き出す。このとき、ポンプ３９では脈動が発生する。一般に、脈動は第１弾性チューブ４１ａや第２弾性チューブ４１ｂの振動を引き起こす。本発明では第１弾性チューブ４１ａや第２弾性チューブ４１ｂは単体で固定部材５２の第１溝５４や第２溝５５に受け止められる。第１弾性チューブ４１ａや第２弾性チューブ４１ｂには固定部材５２から押し付け力が作用する。その結果、第１弾性チューブ４１ａや第２弾性チューブ４１ｂで振動の発生は回避される。ポンプ３９から発生する振動は最大限に抑制される。【００５２】
しかも、ポンプ本体５１は取り付け片５６で第１支持片５７に受け止められる。取り付け片５６は、仮想平面Ｐに直交する方向から第２支持片５８で支持される。第２支持片５８は、仮想平面Ｐに沿って取り付け片５６の移動を許容する。その結果、ポンプ本体５１で脈動に基づく振動が発生しても、振動は取り付け片５６から第１支持片５７に伝達される。その結果、振動は第１支持片５７で吸収される。プリント基板１９やベース１２ａに振動の伝達は回避される。ポンプ３９から発生する振動は最大限に抑制される。【００５３】
液冷ユニット２７では、図１０に示されるように、固定部材５２の表面に板状の押し付け部材７３が重ね合わせられてもよい。押し付け部材７３は例えば板金から構成される。押し付け部材７３は第１溝５４および第２溝５５を塞ぐ。前述のねじ５３のねじ込みに基づき、押し付け部材７３は、第１溝５４および第２溝５５に向かって第１弾性チューブ４１ａおよび第２弾性チューブ４１ｂを押し付ける。第１弾性チューブ４１ａや第２弾性チューブ４１ｂは一層大きな力で固定部材５２に保持される。ポンプ３９から発生する振動は最大限に抑制される。その他、前述と均等な構成や構造には同一の参照符号が付される。【００５４】
図１１に示されるように、液冷ユニット２７ではねじ５９が省略されてもよい。図１２に示されるように、第２支持片５８は取り付け片５６を受け止める。第２支持片５８はポンプ本体５１および第１支持片５７の間に挟み込まれる。こうしてポンプ本体５１は第２支持片５８に受け止められる。ここでは、第２支持片５８は第１支持片５７に一体化されればよい。その他、前述と均等な構成や構造には同一の参照符号が付される。こうした液冷ユニット２７では、ポンプ本体５１で脈動に基づく振動が発生しても、振動は取り付け片５６から第１支持片５７や第２支持片５８に伝達される。その結果、振動は第１支持片５７や第２支持片５８で吸収される。プリント基板１９やベース１２ａに振動の伝達は回避される。ポンプ３９から発生する振動は最大限に抑制される。【００５５】
液冷ユニット２７には、前述の固定部材５２に代えて、図１３に示されるように、固定部材７４が組み込まれてもよい。固定部材７４は、ポンプ本体５１の周囲を途切れなく囲む周壁７５を区画する。周壁７５の一辺に前述の第１溝５４および第２溝５５が区画される。図１４を併せて参照し、周壁７５は、ポンプ本体５１の底面に向き合わせられる底板７６の表面から立ち上がる。こうして周壁７５および底板７６は協働で器を構成する。ポンプ本体５１は器内に収容される。底板７６はプリント基板１９の表面に受け止められる。こうした固定部材７４は前述と同様に防振ゴムから構成される。その他、前述と均等な構成や構造には同一の参照符号が付される。【００５６】
こうした固定部材７４によれば、たとえ流入側ニップル４２ａおよび第１弾性チューブ４１ａの間や、流出側ニップル４２ｂおよび第２弾性チューブ４１ｂの間から冷媒が漏れ出たとしても、漏れ出た冷媒は底板７６に受け止められる。周壁７５の働きで冷媒は固定部材７４内に堰き止められる。固定部材７４からプリント基板１９の表面に冷媒の漏れ出しは回避される。プリント基板１９上の配線パターンや電子部品の間で例えば短絡の発生は回避される。ノートパソコン１１の故障はできる限り抑制される。
【図１】
2009034632.tif 000003
【図２】
2009034632.tif 000004
【図３】
2009034632.tif 000005
【図４】
2009034632.tif 000006
【図５】
2009034632.tif 000007
【図６】
2009034632.tif 000008
【図７】
2009034632.tif 000009
【図８】
2009034632.tif 000010
【図９】
2009034632.tif 000011
【図１０】
2009034632.tif 000012
【図１１】
2009034632.tif 000013
【図１２】
2009034632.tif 000014
【図１３】
2009034632.tif 000015
【図１４】
2009034632.tif 000016
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
ポンプ本体と、前記ポンプ本体に区画されて、冷媒の流出路を区画するニップルと、先端から前記ニップルを受け入れつつ前記ニップルに結合される弾性チューブと、前記ニップルの先端から所定の長さまで前記弾性チューブ内の前記ニップルを支持すると同時に、前記ニップルの先端から前記ニップルの前方に所定の長さまで前記弾性チューブ単体を受け止める溝を区画する固定部材とを備えることを特徴とする液冷ユニット。
【請求項２】
請求項１に記載の液冷ユニットにおいて、前記固定部材に重ね合わせられて前記溝を塞ぎ、前記溝に向かって前記弾性チューブを押し付ける押し付け部材をさらに備えることを特徴とする液冷ユニット。
【請求項３】
請求項１に記載の液冷ユニットにおいて、前記溝は、中心軸回りで凹角の中心角で広がる部分円筒面で区画されることを特徴とする液冷ユニット。
【請求項４】
請求項３に記載の液冷ユニットにおいて、前記弾性チューブは前記溝に圧入されることを特徴とする液冷ユニット。
【請求項５】
請求項１に記載の液冷ユニットにおいて、前記固定部材は制振材または防振材から構成されることを特徴とする液冷ユニット。
【請求項６】
ポンプ本体と、前記ポンプ本体に区画されて、冷媒の流入路を区画する流入側ニップルと、前記流入側ニップルに並列に前記ポンプ本体に区画されて、冷媒の流出路を区画する流出側ニップルと、先端から前記流入側ニップルを受け入れつつ前記流入側ニップルに結合される第１弾性チューブと、先端から前記流出側ニップルを受け入れつつ前記流出側ニップルに結合される第２弾性チューブと、前記流入側ニップルの先端から所定の長さまで前記第１弾性チューブ内の前記流入側ニップルを支持すると同時に、前記流入側ニップルの先端から前記流入側ニップルの前方に所定の長さまで前記第１弾性チューブ単体を受け止める第１溝、および、前記流出側ニップルの先端から所定の長さまで前記第２弾性チューブ内の前記流出側ニップルを支持すると同時に、前記流出側ニップルの先端から前記流出側ニップルの前方に所定の長さまで前記第２弾性チューブ単体を受け止める第２溝を区画する固定部材とを備えることを特徴とする液冷ユニット。
【請求項７】
請求項６に記載の液冷ユニットにおいて、前記流入側ニップルの軸心および前記流出側ニップルの軸心を含む仮想平面に沿って前記流入側ニップルおよび前記流出側ニップルとの間に前記ポンプ本体を挟む支持片をさらに備えることを特徴とする液冷ユニット。
【請求項８】
請求項７に記載の液冷ユニットにおいて、前記支持片は弾性体から構成されることを特徴とする液冷ユニット。
【請求項９】
請求項６に記載の液冷ユニットにおいて、前記流入側ニップルの軸心および前記流出側ニップルの軸心を含む仮想平面に沿って前記流入側ニップルおよび前記流出側ニップルとの間に前記ポンプ本体を挟む取り付け片と、当該仮想平面に沿って前記流入側ニップルおよび前記流出側ニップルとの間に前記ポンプ本体および前記取り付け片を挟み込む第１支持片と、当該仮想平面に沿って前記取り付け片の移動を許容しつつ当該仮想平面に直交する方向から前記取り付け片を支持する第２支持片とをさらに備えることを特徴とする液冷ユニット。
【請求項１０】
請求項６に記載の液冷ユニットにおいて、前記固定部材には、前記ポンプ本体の底面に向き合わせられる底板と、前記底板の表面から立ち上がり、前記ポンプ本体の周囲を途切れなく囲み前記底板と協働で器を構成する周壁とが区画されることを特徴とする液冷ユニット。
【国際調査報告】
2009034632.tif 000017
2009034632.tif 000018